(57)【要約】【解決課題】本発明は、防犯用のドア錠のサムターンの保護装置を提供することを目的とする。【解決手段】少なくとも１以上の第一係合部を有し、少なくともドアに対して相対的に軸方向に所定位置を保つようサムターンに嵌合された内側筒状カバーと、少なくとも１以上の係合溝部を有し、該内側筒状カバーに対して同心的にかつ摺動可能に嵌合される外側筒状カバーとを具備し、該外側筒状カバーを引出し摺動させたとき、該第一係合部と該係合溝部とが係合することにより、該外側筒状カバーが該内側筒状カバーに対して引出し位置に係止され、該外側筒状カバーのドアとは反対側端部の第一の開口部とロックつまみとの間に比較的大きい軸方向離間距離が設定されるドア錠のサムターンの保護装置。【選択図】              図１
2004190312.tif 000002
【特許請求の範囲】
【請求項１】
ドア錠のサムターンの保護装置（１０）であって、該サムターン（７）は、サムターン基部（５）と該基部（５）に支承されたロックつまみ（４）と必要に応じて設けたドア厚さ調整用の軸方向摺動可能部材（６）とを有する、前記ドア錠のサムターンの保護装置（１０）において、
少なくとも１以上の第一係合部（８ｅ）を有し、少なくともドアに対して相対的に軸方向に所定位置を保つようサムターン（７）に嵌合された内側筒状カバー（８）と、
少なくとも１以上の第二係合部（９ｈ）を有し、該内側筒状カバー（８）に対して同心的にかつ摺動可能に嵌合される外側筒状カバー（９）とを具備し、
該外側筒状カバー（９）を引出し摺動させたとき、該第一係合部（８ｅ）と該第二係合部（９ｈ）とが係合することにより、該外側筒状カバー（９）が該内側筒状カバー（８）に対して引出し位置に係止され、該外側筒状カバー（９）のドアとは反対側端部の第一の開口部（９ｍ）とロックつまみ（４）との間に比較的大きい軸方向離間距離が設定される、
ことを特徴とする前記ドア錠のサムターンの保護装置。
【請求項２】
請求項１記載のドア錠のサムターンの保護装置（１０）において、
前記第一係合部（８ｅ）は、前記内側筒状カバー（８）の略半径方向に弾性変形可能であり、
前記外側筒状カバー（９）は、その略半径方向に弾性変形可能な押圧部（９ｄ）を更に有し、
該押圧部（９ｄ）が半径方向内方へ押圧変形されるとき、該第一係合部（８ｅ）に当接して、該第一係合部（８ｅ）を略半径方向内方に弾性変形せしめ、これにより前記第一係合部（８ｅ）及び該第二係合部（９ｈ）の係合が解除され、該外側筒状カバー（９）の押し込み操作を許容し得る状態とさせる前記ドア錠のサムターンの保護装置。
【請求項３】
請求項１又は２に記載のドア錠のサムターンの保護装置（１０）において、
前記外側筒状カバー（９）及び前記内側筒状カバー（８）の何れか一方は、１以上の第三係合部を更に有し、
該外側筒状カバー（９）を該内側筒状カバー（８）に対してドアへ近接する方向へ摺動させたとき、前記内側筒状カバー第一係合部（８ｅ）と該外側筒状カバー第三係合部（９ｉ）との係合、又は前記外側筒状カバー第二係合部（９ｈ）と該内側筒状カバー第三係合部との係合により、該外側筒状カバー（９）が該内側筒状カバー（８）に対して押込み位置に係止される前記ドア錠のサムターンの保護装置。
【請求項４】
請求項１乃至３の何れか１項に記載のドア錠のサムターンの保護装置（１０）において、
前記内側筒状カバー（８）は、そのドア側端部の開口部（８ｌ）が、前記ドア錠のサムターン基部（５）又は前記ドア錠のサムターン軸方向摺動可能部材（６）の径よりも小さい径の内周突出部（８ｋ）を有するよう、周方向略等分に分割された少なくとも２以上の複数の分割部材（８Ａ，８Ｂ）からなり、
該複数の分割部材（８Ａ，８Ｂ）は、該各内周突出部（８ｋ）を前記ドアと該サムターン基部（５）又は該摺動可能部材（６）との間に挟み込みつつ、組み合わされて該内側筒状カバー（８）が形成される前記ドア錠のサムターンの保護装置。
【請求項５】
請求項１乃至４の何れか１項に記載のドア錠のサムターンの保護装置（１０）において、
前記内側筒状カバー（８）及び前記外側筒状カバー（９）は夫々、略円筒形である前記ドア錠のサムターンの保護装置。
【請求項６】
請求項１乃至５の何れか１項に記載のドア錠のサムターンの保護装置（１０）において、
前記外側筒状カバー（９）の前記第一の開口部（９ｍ）に対して着脱可能に係合するリング状内径調整具（１１）を更に有し、該リング状内径調整具（１１）の内径は該外側筒状カバー（９）の該第一の開口部（９ｍ）の内径よりも小さい前記ドア錠のサムターンの保護装置。
【請求項７】
請求項１乃至６の何れか１項に記載のドア錠のサムターンの保護装置（１０）において、
前記外側筒状カバー（９）の前記第一の開口部（９ｍ）に対して着脱可能に係合し該第一開口部（９ｍ）を略密閉する蓋体（１２Ａ）を有し、該蓋体（１２Ａ）は第四係合部（１２Ａ−ｃ）を有し、
該外側筒状カバー（９）を押込み摺動させて、該外側筒状カバー（９）が前記押込み位置に係止されるときは、該第四係合部（１２Ａ−ｃ）が前記サムターン・ロックつまみ（４）に対して係合し、該蓋体（１２Ａ）を手動回転させることにより、該ロックつまみ（４）を連動回転させて、前記錠の施錠・解錠操作を許容し、
該外側筒状カバー（９）を引出し摺動させて、該外側筒状カバー（９）が前記引出し位置に係止されるときは、該第四係合部（１２Ａ−ｃ）及び該ロックつまみ（４）の係合が解除され、該蓋体（１２Ａ）の手動回転にかかわらず、該施錠・解錠操作は許容されない前記ドア錠のサムターンの保護装置。
【請求項８】
ドア錠のサムターンの保護装置であって、該サムターン（７）はサムターン基部（５）と該基部（５）に支承されたロックつまみ（４）と必要に応じて設けたドア厚さ調整用の軸方向摺動可能部材（６）とを有する前記ドア錠のサムターンの保護装置において、
少なくとも１以上の第一係合部を有し、ドアに対して相対的に軸方向に所定位置を保つようサムターン（７）に嵌合された外側筒状カバーと、
少なくとも１以上の第二係合部を有し、該外側筒状カバーに対して同心的にかつ摺動可能に嵌合される内側筒状カバーとを具備し、
該内側筒状カバーを該外側筒状カバーに対してドアから離れる方向へ摺動させたとき、該第一係合部と該第二係合部とが係合することにより、該内側筒状カバーが該外側筒状カバーに対して引出し位置に係止される、
ことを特徴とする前記ドア錠のサムターンの保護装置。
【発明の詳細な説明】
【０００１】
【産業上の利用分野】
本発明は、ドア錠のサムターンの保護装置に関し、内側及び外側筒状カバーを同心的かつ摺動可能に嵌合することにより、ドア外から針金等を差し込んでサムターンを操作することを防止し得るドア錠のサムターンの保護装置を提供することを目的とする。
【０００２】
【従来の技術】
ドア錠のサムターンの保護装置は、泥棒等がドア外側から針金等の工具を利用してドア内側即ち室内側のサムターン・ロックつまみを回して不法侵入することを防止する防犯を目的とした装置である。
【０００３】
従来のドア錠のサムターンの保護装置は、サムターンの周囲を被うべく、単一部材からなるサムターンカバーをサムターンに取り付けたものである（例えば、非特許文献１参照）。
【０００４】
また、ピン留めを有するキャップをサムターンのロックつまみに係合させ、伸縮可能なピンを有する器具をドアに固着させる装置がある。この装置によれば、器具のピンを手動又は遠隔操作により伸長させてキャップのピン留めに嵌合させ、針金等の工具によってサムターンが回転することを阻止する（例えば、非特許文献２参照）。
【０００５】
【非特許文献１】
（有）ロックセンタースワ、“ロックセンター楽天市場”、［online］、平成１４年１０月、（有）ロックセンタースワ、［平成１４年１１月１日検索］、インターネット〈URL:http://www.rakuten.co.jp/lock/449429/459080〉
【非特許文献２】
（株）トーワ商会、“サムストッパー”、［online］、平成１４年８月、（株）トーワ商会、［平成１４年１１月１日検索］、インターネット〈URL:http://www.thumbstopper.com/product/index.html〉
【０００６】
【発明が解決しようとする課題】
しかし、前述した単一部材からなるサムターンカバーは、室内から家人が解錠できなくなることを回避するために、カバーの軸方向高さを余り大きくできず、及び開口部の大きさを余り小さくできず、したがって、泥棒がドア外側からドア内側へ針金を差し込んでサムターンを回転させることが可能であり、十分な防犯効果を得られない問題点がある。
【０００７】
また、前述したピン留めを有するキャップ及びピンを有する器具からなる装置は、防犯効果は高いが、機構が複雑であるためコストが高くつく問題点がある。
【０００８】
【課題を解決するための手段】
上記問題点を解決するための本発明のドア錠のサムターンの保護装置は、少なくとも１以上の第一係合部を有し、少なくともドアに対して相対的に軸方向に所定位置を保つようサムターンに嵌合された内側筒状カバーと、少なくとも１以上の第二係合部を有し、該内側筒状カバーに対して同心的にかつ摺動可能に嵌合される外側筒状カバーとを具備し、該外側筒状カバーを引出し摺動させたとき、該第一係合部と該第二係合部とが係合することにより、該外側筒状カバーが該内側筒状カバーに対して引出し位置に係止され、該外側筒状カバーのドアとは反対側端部の第一の開口部とロックつまみとの間に比較的大きい軸方向離間距離が設定される、ことを特徴とする。
【０００９】
好ましくは、前記第一係合部は、前記内側筒状カバーの略半径方向に弾性変形可能であり、前記外側筒状カバーは、その略半径方向に弾性変形可能な押圧部を更に有し、該押圧部が半径方向内方へ押圧変形されるとき、該第一係合部に当接して、該第一係合部を略半径方向内方に弾性変形せしめ、これにより前記第一係合部及び該第二係合部の係合が解除され、該外側筒状カバーの押し込み操作を許容し得る状態とさせる。
【００１０】
好ましくは、前記外側筒状カバー及び前記内側筒状カバーの何れか一方は、１以上の第三係合部を更に有し、該外側筒状カバーを該内側筒状カバーに対してドアへ近接する方向へ摺動させたとき、前記内側筒状カバー第一係合部と該外側筒状カバー第三係合部との係合、又は前記外側筒状カバー第二係合部と該内側筒状カバー第三係合部との係合により、該外側筒状カバーが該内側筒状カバーに対して押込み位置に係止される。
【００１１】
好ましくは、前記内側筒状カバーは、そのドア側端部の開口部が、前記ドア錠のサムターン基部又は前記ドア錠のサムターン軸方向摺動可能部材の径よりも小さい径の内周突出部を有するよう、周方向略等分に分割された少なくとも２以上の複数の分割部材からなり、該複数の分割部材は、該各内周突出部を前記ドアと該サムターン基部又は該摺動可能部材との間に挟み込みつつ、組み合わされて該内側筒状カバーが形成される。
【００１２】
好ましくは、前記内側筒状カバー及び前記外側筒状カバーは夫々、略円筒形である。
好ましくは、前記外側筒状カバーの前記第一の開口部に対して着脱可能に係合するリング状内径調整具を更に有し、該リング状内径調整具の内径は該外側筒状カバーの該第一の開口部の内径よりも小さい。
【００１３】
好ましくは、前記外側筒状カバーの前記第一の開口部に対して着脱可能に係合し該第一の開口部を略密閉する蓋体を有し、該蓋体は第四係合部を有し、該外側筒状カバーを押込み摺動させて、該外側筒状カバーが前記押込み位置に係止されるときは、該第四係合部が前記サムターン・ロックつまみに対して係合し、該蓋体を手動回転させることにより、該ロックつまみを連動回転させて、前記錠の施錠・解錠操作を許容し、該外側筒状カバーを引出し摺動させて、該外側筒状カバーが前記引出し位置に係止されるときは、該第四係合部及び該ロックつまみの係合が解除され、該蓋体の手動回転にかかわらず、該施錠・解錠操作は許容されない。
【００１４】
また、上記問題点を解決するための本発明のドア錠のサムターンの保護装置は、少なくとも１以上の第一係合部を有し、ドアに対して相対的に軸方向に所定位置を保つようサムターンに嵌合された外側筒状カバーと、少なくとも１以上の第二係合部を有し、該外側筒状カバーに対して同心的にかつ摺動可能に嵌合される内側筒状カバーとを具備し、該内側筒状カバーを該外側筒状カバーに対してドアから離れる方向へ摺動させたとき、該第一係合部と該第二係合部とが係合することにより、該内側筒状カバーが該外側筒状カバーに対して引出し位置に係止される、ことを特徴とする。
【００１５】
【発明の実施の形態】
本発明に係るドア錠のサムターンの保護装置の第一の実施例を図１乃至図１５を使用して説明する。
【００１６】
図１中、ドア錠のサムターンの保護装置１０は、大略、内側筒状カバー８及び外側筒状カバー９よりなり、内側筒状カバー８は少なくともドア１に対して相対的に内側筒状カバー８の軸方向に所定位置を保つようサムターン７Ａに嵌合され、外側筒状カバー９は内側筒状カバー８に対して同心的にかつ摺動可能に嵌合されたものである。以下、その詳細について、説明する。
【００１７】
図１に示したサムターン７Ａは、ドア１に取り付けられた一の錠２ａをドア内側即ち室内から施錠又は解錠する際に使用する。また、ドア１は、ドアハンドル３を操作することにより、他の錠２ｂを解錠することにより開けられる。サムターン７Ａは、サムターン基部５とその基部に支承されたロックつまみ４とを有する。なお、サムターン７Ａは、必要に応じて、ドア厚さ調整用であって、軸方向に距離Ｅだけ摺動可能でかつドア方向へバネ１５（図３参照）により付勢された摺動可能部材６を有する。
【００１８】
内側筒状カバー８は、図１に示す如く、周方向略２等分に分割された略同一形状の２つの分割部材８Ａ，８Ｂからなる。これらの一対の半円筒状分割部材は、夫々に設けられた係合ツメ８ｉと係合ツメ受け８ｊとを係合させることにより組立形成される。なお、内側筒状カバー８は、周方向略等分に分割された２以上の分割部材として組立形成されてもよい。
【００１９】
内側筒状カバー８は、略円筒形であることが好ましいが、軸方向直交断面が多角形等であるその他の筒形でもよい。また、内側筒状カバー８は、内側筒状カバー８及び外側筒状カバー９の嵌合の妨げにならない程度の軸方向切り欠き有してもよい。
【００２０】
一対の半円筒状分割部材を組み合わせた内側筒状カバー８のドア側端部の中央開口部８ｌには、サムターン基部５（図５参照）又は軸方向摺動可能部材６（図４参照）の径よりも小さい径の内周突出部８ｋが設けられる。
【００２１】
内側筒状カバー８は、そのドアと反対側端部において、第二の開口部８ｃを有する。その第二の開口部８ｃの内径は、ロックつまみ４の軸直交方向長さよりも大きいことが好ましい。
【００２２】
内側筒状カバー８は、その周囲部８ｂにおいて、その内側筒状カバー８の略半径方向に弾性変形可能な一対の第一係合部としての被押圧アーム８ｅを切り込み形成される。被押圧アーム８ｅは、１つ又は３以上でもよい。被押圧アーム８ｅ自体がゴム等の弾性の強い弾性部材から形成されることにより弾性変形可能でもよい。被押圧アーム８ｅは、略半径方向外方へ突出する突部８ｆを有するが、凹部でもよい。
【００２３】
内側筒状カバー８は、そのドアと反対側端部において、その周囲部８ｂ上に略半径方向外方へ突出するリブ８ｈを有する。リブ８ｈは、被押圧アーム８ｅの軸方向延長線上にあることが好ましい。
【００２４】
内側筒状カバー８は、その周方向分割端部において、略半径方向に突出しかつ図１中垂直面に平行な外周フラット部８ｄを有することが好ましい。この外周フラット部８ｄは、後述する如く外側筒状カバー９の内周フラット部９ｋに係合する。
【００２５】
外側筒状カバー９は、略円筒形であることが好ましいが、内側筒状カバー８がその他の筒形である場合は内側筒状カバー８に嵌合するよう軸方向直交断面が多角形等のその他の筒形でもよい。又、外側筒状カバー９は、ドア錠のサムターンの保護装置１０の防犯効果の妨げにならない程度の軸方向切り欠き有してもよい。
【００２６】
外側筒状カバー９は、そのドア側端部において、開口部９ｌを有する。開口部９ｌの径は、少なくとも内側筒状カバー８の周囲部８ｂの外径よりも大きく、外側筒状カバー９は、内側筒状カバー８に対して同心的にかつ摺動可能に嵌合されることが可能である。
【００２７】
外側筒状カバー９は、そのドアと反対側端部９ｃにおいて、第一の中央開口部９ｍを有する。その第一の中央開口部９ｍの内径は、ロックつまみ４の軸直交方向長さよりも大きいことが好ましい。
【００２８】
外側筒状カバー９は、その周囲部９ｂの略直径方向対称位置に、略半径方向に弾性変形可能な一対の押圧アーム９ｄを切り込み形成される。押圧アーム９ｄは、１つ又は３以上でもよい。押圧アーム９ｄはそれ自体がゴム等の弾性の強い弾性部材から形成されることにより弾性変形可能でもよく、略半径方向外方及び内方へ突出する押圧突部９ｅ（図１及び図２参照）を有することが好ましい。
【００２９】
図２中、外側筒状カバー９は、その内周面上に、押圧アーム９ｄの両側で軸方向に伸長する一対の突条部９ｇを２つ有する。一対の突条部９ｇは、１つ又は３以上でもよい。外側筒状カバー９が内側筒状カバー８に対して嵌合する際、内側筒状カバー８の突部８ｆは一対の突条部９ｇ上を摺動する。なお、突条部９ｇのドア側端部には、外側筒状カバー９を内側筒状カバー８に嵌合させやすいように面取り部９ｊが設けられている。
【００３０】
各突条部９ｇは、その上面に、ドア側端部の近傍において第二係合部としての係合溝部９ｈ、及びドアと反対側端部９ｃの近傍において第三係合部としての係合溝部９ｉを有する。外側筒状カバー９は突条部９ｇが必ずしも必要でなく、ドア側係合溝部９ｈ及び係合溝部９ｉは、外側筒状カバー９の周囲部９ｂの内周面に直接設けられてもよい。
【００３１】
また、内側筒状カバー８が係合溝部を有し、外側筒状カバー９のドア側係合溝部９ｈと内側筒状カバー８の係合溝部との係合してもよい。
ドア側係合溝部９ｈ及び係合溝部９ｉは、被押圧アーム８ｅが突部８ｆを有する場合は、突部８ｆと係合すべく溝部であることが好ましい。ドア側係合溝部９ｈの傾斜は、比較的大きな傾斜角度で設けられ、係合溝部９ｉの溝部の傾斜は、比較的小さな傾斜角度で設けられることが好ましい。なお、ドア側係合溝部９ｈ及び９ｉは、被押圧アーム８ｅが突部８ｆに代えて凹部である場合は、その凹部と係合すべく凸部であることが好ましい。
【００３２】
外側筒状カバー９は、その周囲部９ｂの内周面において、フラット部９ｋを有する。外側筒状カバー９のフラット部９ｋは、外側筒状カバー９が内側筒状カバー８に対して嵌合する際、内側筒状カバー８の外周フラット部８ｄに係合し、外側筒状カバー９が内側筒状カバー８に対して自由に回転することを阻止する。
【００３３】
図１中、リング状内径調整具１１は、開口部に沿って、その内径１１ｂが外側筒状カバー９の第一中央開口部９ｍの内径よりも小さい筒状部１１ａを有する。筒状部１１ａの外径は第一中央開口部９ｍの内径と略等しく、リング状内径調整具１１を第一中央開口部９ｍに対して着脱可能に嵌入させることが可能である。
【００３４】
図８乃至図１５中、蓋体１２Ａは、外側筒状カバー９の第一中央開口部９ｍに対して着脱可能に係合して第一中央開口部９ｍを略密閉する。なお、蓋体１２Ａは、外側筒状カバー９に対して回転自在に取り付けられることが好ましい。本実施例においては、蓋体１２Ａはドア側端部近傍において軸方向に伸長する外側周囲部１２Ａ−ａ（図９参照）を有し、蓋体１２Ａの外側周囲部１２Ａ−ａはリング状留め具１３（図８参照）の開口部１３ａと嵌合可能である（図１４参照）。リング状留め具１３の外側周囲部１３ｂは外側筒状カバー９の第一中央開口部９ｍに対して回転自在に嵌入可能である。蓋体１２Ａは、リング状留め具１３との間に、外側筒状カバー９のドアと反対側端部９ｃ（第一中央開口部９ｍの周縁部）を挟んだ状態で、リング状留め具１３と組立形成される。かくして、蓋体１２Ａは、外側筒状カバー９に対して回転自在に保持される。
【００３５】
蓋体１２Ａは、そのドア側端部軸直交断面において第四係合部１２Ａ−ｃ（図９参照）を有する。第四係合部１２Ａ−ｃは、サムターン７Ａのロックつまみ４と係合可能である。また、蓋体１２Ａは、手動回転が容易なようにつまみ部１２Ａ−ｄ（図８及び図９参照）を有することが好ましい。
【００３６】
なお、本実施例においては、第四係合部１２Ａ−ｃは、側壁１２Ａ−ｂによって形成された溝部（図９参照）であるが、勿論、様々なバリエーションがある。例えば、第四係合部は、図１０及び図１１に示す如く、蓋体１２Ｂの軸方向に伸長しかつ周方向略等分に放射状に伸長する複数のリブ１２Ｂ−ｃにより画成されてもよく、また、図１２及び図１３に示す如く、蓋体１２Ｃの軸方向に伸長しかつ周方向略等分に配設された複数のピン１２Ｃ−ｃにより画成されてもよい。
【００３７】
続いて、ドア錠のサムターンの保護装置１０をサムターン７Ａに取り付ける方法及び作用を説明する。
図１に示す如く、サムターン７Ａの摺動可能部材６を軸方向にドアから離隔すべく距離Ｅだけバネに抗してドアから離れる方向へ摺動させて保持する。
【００３８】
次に、内側筒状カバー８の一対の分割部材８Ａ，８Ｂは、各内周突出部８ｋがドア１と摺動可能部材６との間に挿入されつつ、サムターン７Ａの外周に嵌合されて、組み合わされて内側筒状カバー８が形成される。摺動可能部材６は、バネ１５によりドア１方向へ摺動復帰して内側筒状カバー８の内方突出部８ｋに圧接するので、内周突出部８ｋはドア１及び摺動可能部材６の間に押圧的に保持され、ドアに対して相対的に軸方向に所定位置を保つ。なお、図５に示す如く、サムターン７Ｂが摺動可能部材６を有さないタイプのものである場合は、内側筒状カバー８の一対の分割部材８Ａ，８Ｂは、各内周突出部８ｋがドア１とサムターン基部５との間に挟み込まれる。この場合、サムターン基部５はネジ１４によりドア１に取り付けられる。
【００３９】
次に、外側筒状カバー９を内側筒状カバー８に対して同心的にかつ摺動可能に、しかもドア１方向へ押し込んだ状態で嵌合させる。
外側筒状カバー９を内側筒状カバー８に対してドアへ近接する方向へ摺動すると、図３に示す如く、内側筒状カバー８の突部８ｆが外側筒状カバー９のドアから離間した係合溝部９ｉに係合し、外側筒状カバー９は内側筒状カバー８に対して押込み位置（図３参照）に係止される。なお、内側筒状カバー８が係合溝部を有する場合は、外側筒状カバー９のドア側係合溝部９ｈと内側筒状カバー８の係合溝部とが係合し、外側筒状カバー９は押込み位置に係止される。また、外側筒状カバー９が押込み位置に係止される場合は、図３及び図７に示す如く、ロックつまみ４が外側筒状カバー９の第一中央開口部９ｍから突出しているので、施錠又は解錠操作が容易に行える。しかし、その操作を妨げない程度であれば、ロックつまみ４が第一中央開口部９ｍから突出しなくてもよい（図５参照）。なお、外側筒状カバー９のフラット部９ｋは内側筒状カバー８の外周フラット部８ｄに係合し、外側筒状カバー９が内側筒状カバー８に対して自由に回転することを防止する。
【００４０】
次に、外側筒状カバー９を内側筒状カバー８に対してドアから離れる方向へ引出し摺動させたとき、内側筒状カバー８の突部８ｆが外側筒状カバー９のドアから離間した係合溝部９ｉとの係合（図３参照）を解除されて、ドア側係合溝部９ｈに切換係合し、外側筒状カバー９は内側筒状カバー８に対して引出し位置（図４参照）に係止される。なお、外側筒状カバー９を引き出して突部８ｆ及びドアから離れた係合溝部９ｉの係合が解除されるとき、係合溝部９ｉの溝部の傾斜角度が比較的小さいので上記係合解除動作は比較的小さな力により容易に行われる。また、外側筒状カバー９を前記引き出し位置から更に引き出し摺動させたとしても、外側筒状カバー９の押圧アーム９ｄの押圧突部９ｅが内側筒状カバー８のリブ８ｈに当接するため、外側筒状カバー９が内側筒状カバー８から容易に脱落することはない。
【００４１】
外側筒状カバー９が引出し位置に係止されたときは、図４及び図６に示す如く、外側筒状カバー９の第一中央開口部９ｍとロックつまみ４との間に比較的大きい軸方向離間距離ｌが設定されるため、針金等の工具を使用してロックつまみ４を回転させて容易に解錠できなくなり、防犯上の効果を上げることが可能である。なお、家人が室内にいるときは、外側筒状カバー９は押込み位置（図３参照）に係止されてもよい。
【００４２】
外側筒状カバー９が引出し位置（図４参照）のあるときは、ドア側係合溝部９ｈの溝部の傾斜角度が大きく設けられているので、外側筒状カバー９を内側筒状カバー８に対して図４に示す位置から押し込んだだけでは、ドア側係合溝部９ｈ及び突部８ｆの係合は解除されず、下記の所定操作をしなければ、外側筒状カバー９は内側筒状カバー８に対して軸方向近接するよう摺動させることはできない。
【００４３】
外側筒状カバー９が引出し位置（図４参照）に係止された場合、ドア側係合溝部９ｈ及び突部８ｆの係合を解除する方法は以下のとおりである。
一対の押圧アーム９ｄが夫々、例えば親指、人差し指により挟持されて半径内方へ同時に押圧変形される。すると、外側筒状カバー９の押圧アーム９ｄの押圧突部９ｅが、内側筒状カバー８の被押圧アーム８ｅの所定部分に当接して、被押圧アーム８ｅを略半径方向内方に弾性変形させる。これにより被押圧アーム８ｅの突部８ｆ及びドア側係合溝部９ｈの係合が解除され、この状態のまま外側筒状カバー９を押し込む。すると、外側筒状カバー９は図４の状態から図３の位置まで復帰摺動され、被押圧アーム８ｅの突部８ｆとドアから離間した係合溝部９ｉとが係合されて押込み位置へ至る。したがって、泥棒が、室外から針金等の工具を利用して外側筒状カバー９を押し込んだだけでは外側筒状カバー９を押込み摺動させることはできず、高い防犯効果が得られる。勿論、外側筒状カバー９及び内側筒状カバー８を螺合させて外側筒状カバー９を引出し位置に係止させる等、外側筒状カバー９を引出し位置に係止させる手段として様々なバリエーションが考えられる。
【００４４】
なお、ドア錠のサムターンの保護装置１０は、外側筒状カバー９の第一中央開口部９ｍの内径がロックつまみ４の軸直交方向長さよりも著しく大きいことに起因してドア外から差し込んだ針金によりロックつまみ４を操作し得る場合がある。したがって、この可能性をなくすため、、リング状内径調整具１１（図１参照）を更に有してもよい。これにより、リング状内径調整具１１の内径は第一中央開口部９ｍの内径より小さいので、上記針金による操作を不可能とし得る。
【００４５】
次に、図１４及び図１５に、蓋体１２Ａ（図８又は図９参照）を外側筒状カバー９の第一中央開口部９ｍに取り付た実施例を示し、同図中、図３及び図４と同一部分には同一符号を付して、その説明を省略する。
【００４６】
図１４中、外側筒状カバー９を内側筒状カバー８に対してドアへ近接する方向へ摺動させて、外側筒状カバー９が押込み位置に係止されるときは、蓋体１２Ａの第四係合部１２Ａ−ｃがサムターン７のロックつまみ４に対して係合する。したがって、蓋体１２Ａを手動回転させることにより、ロックつまみ４を連動回転させて、錠２ａの施錠・解錠操作を許容する。
【００４７】
一方、外側筒状カバー９を内側筒状カバー８に対してドアから離れる方向へ摺動させて、外側筒状カバー９が引出し位置（図１５参照）に係止されるときは、第四係合部１２Ａ−ｃ及びロックつまみ４の係合が解除される。これにより、ドア外から差し込んだ針金等により蓋体１２Ａを回転させても、錠２ａの施錠・解錠操作を行うことはできない。
【００４８】
押込み位置は、被押圧アーム８ｅの突部８ｆとドアから離間した係合溝部９ｉとの係合で規定しなくとも、単に外側筒状カバー９を押込み摺動させて、そのドア側端部が内側筒状カバー８のフランジ部８ａ又はドア内面に当接して停止してもよい。
【００４９】
勿論、第二の実施例として、上記実施例の内側筒状カバー８と外側筒状カバー９とが入れ替わった形態、すなわち、少なくとも１以上の第一係合部を有する外側筒状カバーがドアに対して相対的に軸方向に所定位置を保つようサムターン７に嵌合され、少なくとも１以上の第二係合部を有する内側筒状カバーが外側筒状カバーに対して同心的にかつ摺動可能に嵌合され、内側筒状カバーを外側筒状カバーに対してドアから離れる方向へ摺動させたとき、外側筒状カバーの第一係合部と内側筒状カバーの第二係合部とが係合することにより、内側筒状カバーが外側筒状カバーに対して引出し位置に係止される形態も考えられる。
【００５０】
この場合には、内側筒状カバーの第二係合部は内側筒状カバーの略半径方向に弾性変形可能であり、外側筒状カバーは略半径方向に弾性変形可能な押圧部を更に有し、押圧部が半径方向内方へ押圧変形されるとき、内側筒状カバーの第二係合部に当接して、第二係合部を略半径方向内方に弾性変形せしめ、これにより第一係合部及び第二係合部の係合が解除され、内側筒状カバーの押し込み操作を許容し得る状態となる。
【００５１】
さらに、第三の実施例として、上記第一実施例において、外側筒状カバーを内側筒状カバーに対して摺動させるのではなく、外側筒状カバーと内側筒状カバーとを螺合させ、外側筒状カバーを内側筒状カバーに対して回転させることにより、外側筒状カバーの押込み又は引出し操作を許容する形態も考えられる。勿論、第三実施例の内側筒状カバーと外側筒状カバーとが入れ替わった形態も考えられる。
【００５２】
【本発明の効果】
▲１▼本発明のドア錠のサムターンの保護装置によれば、外側筒状カバーを引出し摺動させて引出し位置に係止したとき、外側筒状カバーのドアとは反対側端部の第一の開口部とロックつまみとの間に比較的大きい軸方向離間距離が設定される。したがって、泥棒が室外から針金等の工具を利用して室内側のサムターン・ロックつまみを容易に回して不法侵入することを防止する。
【００５３】
また、本装置は、内側筒状カバー及び外側筒状カバーからなるため、機構が簡単であり、製造コストを低減し得る。
▲２▼本装置は、外側筒状カバーを引出し位置から押し込むためには、外側筒状カバーの押圧部を半径方向内方へ押圧して、内側筒状カバーの第一係合部及び外側筒状カバーの第二係合部の係合を解除しなければならない。したがって、泥棒が室外から針金等の工具を利用して外側筒状カバーを容易に押込み摺動することができず高い防犯効果が得られる。
【００５４】
▲３▼本装置は、外側筒状カバーを押込み摺動させたとき、外側筒状カバーが内側筒状カバーに対して押込み位置に係止される。したがって、家人が室内に居る場合等には、外側筒状カバーが押込み位置に係止され、家人の錠の施錠又は解錠操作を容易にする。
【００５５】
▲４▼本装置は、内側筒状カバーが周方向略等分に分割された少なくとも２以上の複数の分割部材からなり、組み合わされて内側筒状カバーが形成される。したがって、サムターン部分を分解する必要なく、本装置をサムターンに容易に取り付けることが可能である。
【００５６】
▲５▼本装置は、内側筒状カバー及び外側筒状カバーは夫々、略円筒形であるため製作が容易である。
▲６▼本装置は、その内径が外側筒状カバーの第一開口部の内径よりも小さいリング状内径調整具を有する。したがって、外側筒状カバーの第一開口部の内径がロックつまみの軸直交方向長さよりも著しく大きい場合にドア錠のサムターンの保護装置の防犯効果を確保することが可能である。
【００５７】
▲７▼本装置は、外側筒状カバーの第一開口部を略密閉する蓋体をその第一開口部に係合させることにより、外側筒状カバーが押込み位置に係止されるときは、蓋体を手動回転させることにより、錠の施錠・解錠操作が許容されるが、外側筒状カバーが引出し位置に係止されるときは、錠の施錠・解錠操作は許容されない。
【００５８】
外側筒状カバーの第一開口部は蓋体により略密閉されるため、外側筒状カバーが引出し位置に係止されるときは、サムターンのロックつまみを回転操作できず、更に高い防犯効果が得られる。また、外側筒状カバーが引出し位置に係止されるときは、痴呆老人等が、容易に解錠して室外を徘徊することを防止し得る。
【図面の簡単な説明】
【図１】本発明に係るドア錠のサムターンの保護装置の１実施例において、内側筒状カバーがドアとサムターン摺動部材との間に挟まれてサムターンに嵌合される場合の分解斜視図である。
【図２】図１の装置の外側筒状カバーの斜視図である。
【図３】図１の装置の外側筒状カバーが押込み位置に係止されているときの縦断面図である。
【図４】図１の装置の外側筒状カバーが引出し位置に係止されているときの縦断面図である。
【図５】図１の装置において、サムターン摺動部材が設けられておらず、内側筒状カバーがドアとサムターン基部との間に挟まれて、サムターンに嵌合される例における、外側筒状カバーが引出し位置に係止されているときの縦断面図である。
【図６】図１及び図５の装置の、外側筒状カバーが引出し位置に係止されているときの完成図である。
【図７】図１及び図５の装置の、外側筒状カバーが押込み位置に係止されているときの完成図である。
【図８】図１の装置において、上記装置が更に蓋体を有する場合の分解斜視図である。
【図９】図８の蓋体の斜視図である。
【図１０】図８の蓋体の、リブからなる第４係合部を有するときの背面図である。
【図１１】図１０の蓋体の線１１に沿う縦断面図である。
【図１２】図８の蓋体の、ピンからなる第４係合部を有するときの背面図である。
【図１３】図１２の蓋体の線１３に沿う縦断面図である。
【図１４】図８及び図９の蓋体を有する装置の、外側筒状カバーが押込み位置に係止されているときの縦断面図である。
【図１５】図１４に対応する図であって、外側筒状カバーが引出し位置に係止されているときの縦断面図である。
【符号の説明】
１…ドア
２…錠
３…ドアハンドル
４…ロックつまみ
５…サムターン基部
６…ドア厚さ調整用の軸方向摺動可能部材
７…サムターン
８…内側筒状カバー
９…外側筒状カバー
１０…ドア錠のサムターンの保護装置
１１…リング状内径調整具
１２Ａ…蓋体
【図１】
2004190312.tif 000003
【図２】
2004190312.tif 000004
【図３】
2004190312.tif 000005
【図４】
2004190312.tif 000006
【図５】
2004190312.tif 000007
【図６】
2004190312.tif 000008
【図７】
2004190312.tif 000009
【図８】
2004190312.tif 000010
【図９】
2004190312.tif 000011
【図１０】
2004190312.tif 000012
【図１１】
2004190312.tif 000013
【図１２】
2004190312.tif 000014
【図１３】
2004190312.tif 000015
【図１４】
2004190312.tif 000016
【図１５】
2004190312.tif 000017